(57)【要約】【課題】本発明は携帯しやすいスポーツ用水筒を開示した。    【解決手段】水筒及び前記水筒の中の外部空間に連通している貯水チャンバを含み、前記水筒の上端には前記貯水チャンバを密封する蓋が設置され、前記水筒の中には前記水筒を固定できる巻き付き機構が設置され、前記巻き付き機構は前記貯水チャンバの両側端壁の中に位置している回転チャンバを含み、前記貯水チャンバの下端壁の中には伝動チャンバが設置され、前記回転チャンバの中には捻りばねにより前記回転チャンバの上下端壁と連結された回転軸が設置され、締めひもの伸び出し量を自由に調節して固定でき、肩に掛けても腰に掛けても水筒をちゃんと固定でき、人の好みによって自由に固定方式を決められ、且つ余分の締めひもが外部空間に残さないので運動に影響を与えない。【選択図】図１
2020182768.tif 000002
【特許請求の範囲】
【請求項１】
正面視で、水筒及び前記水筒の中の外部空間に連通している貯水チャンバを含み、前記水筒の上端には前記貯水チャンバを密封する蓋が設置され、前記水筒の中には前記水筒を固定できる巻き付き機構が設置され、前記巻き付き機構は前記貯水チャンバの両側端壁の中に位置している回転チャンバを含み、前記貯水チャンバの下端壁の中には伝動チャンバが設置され、前記回転チャンバの中には捻りばねにより前記回転チャンバの上下端壁と連結された回転軸が設置され、前記回転軸の下端が前記伝動チャンバの中に位置しており、前記回転軸にはローラーが設置され、前記ローラーには巻きつくことができ、且つ一端が外部空間の中に位置している締めひもが設置され、前記締めひもの一端には固定ブロックが固定され、右側の前記回転チャンバの上端壁の中には従動チャンバが設置され、右側の前記回転軸の上端が前記従動チャンバの中に位置しており、且つ右側の前記回転軸の上端には第一ベルトプーリが固定的に連結され、前記水筒の中にはまた後方に開口した押し出し溝が設置され、前記押し出し溝の上端壁の中には遠心チャンバが設置され、前記遠心チャンバの上下端壁の間には従動軸が回転できるように連結され、前記従動軸には第一ベルトにより前記第一ベルトプーリと連結された遠心輪が設置され、前記押し出し溝の中にはＵ型ブロック及び前記Ｕ型ブロックを復帰させることができる押し出しばねが設置され、前記Ｕ型ブロックの上端には上端が前記遠心輪に制御されて運動する従動板が設置され、前記伝動チャンバの中には前記締めひもの伸び出し量を固定できる制御機構が設置され、前記制御機構は前記伝動チャンバの上端壁の中に位置している昇降溝を含み、前記伝動チャンバの上端壁の中にはまた内壁が前記昇降溝に連通している環状溝が設置され、前記昇降溝の中には円柱ブロックが設置され、前記円柱ブロックの中には前記円柱ブロックを貫通しているスライドチャンバが設置され、前記スライドチャンバの中にはスライド板及び前記スライド板を復帰させることができるスライドばねが設置され、前記円柱ブロックには外端が前記環状溝の中に位置している回転ギヤが設置され、前記環状溝の右端壁の中には前記環状溝に連通している移動チャンバが設置され、前記移動チャンバの中には前記回転ギヤと噛み合っており、且つ前記回転ギヤを回転させることができるラックブロックが設置され、前記ラックブロックの前端には前記ラックブロックを復帰させることができる伸縮ばねが設置され、前記ラックブロックの後端には後端が前記移動チャンバの後端壁と前記昇降溝の上端壁とを貫通しており、且つ前記スライド板と連結されたロープが固定され、前記円柱ブロックの下端には下端が前記伝動チャンバの中に位置している四つの挟み板が設置され、本装置の作用は前記固定ブロックを引き動かすことにより前記締めひもの伸び出し量を制御し、前記制御機構により前記締めひもを固定し、これにより前記締めひもを自由に固定して締めやすく、前記締めひもを伸ばしすぎないことであることを特徴とする携帯しやすいスポーツ用水筒。
【請求項２】
前記巻き付き機構はまた転向軸を含み、前記転向軸の下端と右側の前記回転軸の下端にはいずれも第二ベルトプーリが設置され、二つの前記第二ベルトプーリの間は第二ベルトにより連結されており、且つ前記第二ベルトが二つの前記挟み板の間の空間を通過し、前記転向軸の上端には転向ギヤが設置され、左側の前記回転軸の下端には前記転向ギヤと噛み合っている回転ギヤが設置され、右側の固定ブロックの中には二つのばね溝が設置され、前記ばね溝の中にはばねブロック及び前記ばねブロックを復帰させることができる圧縮ばねが設置され、左側の前記固定ブロックの中には左方に開口した収納溝が設置され、前記収納溝の上下端壁の中には外部空間と前記収納溝とを連通している押し溝が設置され、前記押し溝の中には押し板及び前記押し板を復帰させることができる二つの押しばねが設置され、前記巻き付き機構の作用は前記固定ブロックを引き動かして前記締めひもの伸び出し量を制御することであることを特徴とする請求項１に記載の携帯しやすいスポーツ用水筒。
【請求項３】
前記制御機構はまた下方に開口した昇降チャンバを含み、前記昇降チャンバの中には昇降板が設置され、前記昇降板の上端には上端が前記伝動チャンバを貫通しており、且つ前記スライド板と接触している昇降ロッドが設置され、前記昇降チャンバの上端壁の中には下方に開口した環状チャンバが設置され、前記環状チャンバの前端壁には前記環状チャンバと前記昇降チャンバとを連通している二つの受け取り溝が設置され、前記受け取り溝の中には受け取りブロックが設置され、前記受け取りブロックの下端には下端が前記昇降板と連結している連結柱が設置され、前記制御機構の作用は前記締めひもの伸び出し量を決めた後に前記締めひもを固定し、前記締めひもが縮むことを防止することであることを特徴とする請求項１に記載の携帯しやすいスポーツ用水筒。
【発明の詳細な説明】
【技術分野】
【０００１】
本発明はコップ分野を取り上げて、具体的には携帯しやすいスポーツ用水筒である。
【背景技術】
【０００２】
現段階、スポーツ用水筒は携帯しにくく、水筒を固定して締めることができるひもが大体外側に掛かり、運動する時に使用者に影響しやすく、且つほとんどのひもは一種類の閉鎖した輪しか形成できなく、単一的に腰に掛ける又は肩に掛けるしかできなく、需要に応じて自由に変えることができなく、使用に影響を与える。
【先行技術文献】
【特許文献】
【０００３】
【特許文献１】中国特許出願公開第１０５５３４２９８号明細書
【発明の概要】
【発明が解決しようとする課題】
【０００４】
本発明は携帯しやすいスポーツ用水筒を提供し、上記背景技術において提出された問題を解決することを目的とする。
【課題を解決するための手段】
【０００５】
上記の目的を実現するために、本発明は以下の技術プランを提供する：携帯しやすいスポーツ用水筒は、水筒及び前記水筒の中の外部空間に連通している貯水チャンバを含み、前記水筒の上端には前記貯水チャンバを密封する蓋が設置され、前記水筒の中には前記水筒を固定できる巻き付き機構が設置され、前記巻き付き機構は前記貯水チャンバの両側端壁の中に位置している回転チャンバを含み、前記貯水チャンバの下端壁の中には伝動チャンバが設置され、前記回転チャンバの中には捻りばねにより前記回転チャンバの上下端壁と連結された回転軸が設置され、前記回転軸の下端が前記伝動チャンバの中に位置しており、前記回転軸にはローラーが設置され、前記ローラーには巻きつくことができ、且つ一端が外部空間の中に位置している締めひもが設置され、前記締めひもの一端には固定ブロックが固定され、右側の前記回転チャンバの上端壁の中には従動チャンバが設置され、右側の前記回転軸の上端が前記従動チャンバの中に位置しており、且つ右側の前記回転軸の上端には第一ベルトプーリが固定的に連結され、前記水筒の中にはまた後方に開口した押し出し溝が設置され、前記押し出し溝の上端壁の中には遠心チャンバが設置され、前記遠心チャンバの上下端壁の間には従動軸が回転できるように連結され、前記従動軸には第一ベルトにより前記第一ベルトプーリと連結された遠心輪が設置され、前記押し出し溝の中にはＵ型ブロック及び前記Ｕ型ブロックを復帰させることができる押し出しばねが設置され、前記Ｕ型ブロックの上端には上端が前記遠心輪に制御されて運動する従動板が設置され、前記伝動チャンバの中には前記締めひもの伸び出し量を固定できる制御機構が設置され、前記制御機構は前記伝動チャンバの上端壁の中に位置している昇降溝を含み、前記伝動チャンバの上端壁の中にはまた内壁が前記昇降溝に連通している環状溝が設置され、前記昇降溝の中には円柱ブロックが設置され、前記円柱ブロックの中には前記円柱ブロックを貫通しているスライドチャンバが設置され、前記スライドチャンバの中にはスライド板及び前記スライド板を復帰させることができるスライドばねが設置され、前記円柱ブロックには外端が前記環状溝の中に位置している回転ギヤが設置され、前記環状溝の右端壁の中には前記環状溝に連通している移動チャンバが設置され、前記移動チャンバの中には前記回転ギヤと噛み合っており、且つ前記回転ギヤを回転させることができるラックブロックが設置され、前記ラックブロックの前端には前記ラックブロックを復帰させることができる伸縮ばねが設置され、前記ラックブロックの後端には後端が前記移動チャンバの後端壁と前記昇降溝の上端壁とを貫通しており、且つ前記スライド板と連結されたロープが固定され、前記円柱ブロックの下端には下端が前記伝動チャンバの中に位置している四つの挟み板が設置され、本装置の作用は前記固定ブロックを引き動かすことにより前記締めひもの伸び出し量を制御し、前記制御機構により前記締めひもを固定し、これにより前記締めひもを自由に固定して締めやすく、前記締めひもを伸ばしすぎないことである。
【０００６】
好ましくは、前記巻き付き機構はまた転向軸を含み、前記転向軸の下端と右側の前記回転軸の下端にはいずれも第二ベルトプーリが設置され、二つの前記第二ベルトプーリの間は第二ベルトにより連結されており、且つ前記第二ベルトが二つの前記挟み板の間の空間を通過し、前記転向軸の上端には転向ギヤが設置され、左側の前記回転軸の下端には前記転向ギヤと噛み合っている回転ギヤが設置され、右側の固定ブロックの中には二つのばね溝が設置され、前記ばね溝の中にはばねブロック及び前記ばねブロックを復帰させることができる圧縮ばねが設置され、左側の前記固定ブロックの中には左方に開口した収納溝が設置され、前記収納溝の上下端壁の中には外部空間と前記収納溝とを連通している押し溝が設置され、前記押し溝の中には押し板及び前記押し板を復帰させることができる二つの押しばねが設置され、前記巻き付き機構の作用は前記固定ブロックを引き動かして前記締めひもの伸び出し量を制御することである。
【０００７】
好ましくは、前記制御機構はまた下方に開口した昇降チャンバを含み、前記昇降チャンバの中には昇降板が設置され、前記昇降板の上端には上端が前記伝動チャンバを貫通しており、且つ前記スライド板と接触している昇降ロッドが設置され、前記昇降チャンバの上端壁の中には下方に開口した環状チャンバが設置され、前記環状チャンバの前端壁には前記環状チャンバと前記昇降チャンバとを連通している二つの受け取り溝が設置され、前記受け取り溝の中には受け取りブロックが設置され、前記受け取りブロックの下端には下端が前記昇降板と連結している連結柱が設置され、前記制御機構の作用は前記締めひもの伸び出し量を決めた後に前記締めひもを固定し、前記締めひもが縮むことを防止することである。
【発明の効果】
【０００８】
以上のように、本発明の有益効果は：本装置は構成が簡単で、操作が便利で、締めひもの伸び出し量を自由に調節して固定でき、肩に掛けても腰に掛けても水筒をちゃんと固定でき、人の好みによって自由に固定方式を決められ、且つ余分の締めひもが外部空間に残さないので運動に影響を与えない。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の携帯しやすいスポーツ用水筒の全体全断面の正面構成模式図
【図２】図２は本発明の携帯しやすいスポーツ用水筒の全体全断面の左側面拡大構成模式図
【図３】図３は本発明の携帯しやすいスポーツ用水筒の環状溝の全断面の上面拡大構成模式図
【図４】図４は本発明の携帯しやすいスポーツ用水筒の制御機構の局部断面の正面拡大模式図
【図５】図５は本発明の携帯しやすいスポーツ用水筒の左側の固定ブロックの局部断面の正面拡大模式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜５を参照し、本発明の実施例は：携帯しやすいスポーツ用水筒であり、携帯しやすいスポーツ用水筒は水筒１及び前記水筒１の中の外部空間に連通している貯水チャンバ２を含み、前記水筒１の上端には前記貯水チャンバ２を密封する蓋３が設置され、前記水筒１の中には前記水筒１を固定できる巻き付き機構５３が設置され、前記巻き付き機構５３は前記貯水チャンバ２の両側端壁の中に位置している回転チャンバ６を含み、前記貯水チャンバ２の下端壁の中には伝動チャンバ１７が設置され、前記回転チャンバ６の中には捻りばね４により前記回転チャンバ６の上下端壁と連結された回転軸５が設置され、前記回転軸５の下端が前記伝動チャンバ１７の中に位置しており、前記回転軸５にはローラー８が設置され、前記ローラー８には巻きつくことができ、且つ一端が外部空間の中に位置している締めひも９が設置され、前記締めひも９の一端には固定ブロック１１が固定され、右側の前記回転チャンバ６の上端壁の中には従動チャンバ２８が設置され、右側の前記回転軸５の上端が前記従動チャンバ２８の中に位置しており、且つ右側の前記回転軸５の上端には第一ベルトプーリ２９が固定的に連結され、前記水筒１の中にはまた後方に開口した押し出し溝３４が設置され、前記押し出し溝３４の上端壁の中には遠心チャンバ３９が設置され、前記遠心チャンバ３９の上下端壁の間には従動軸３８が回転できるように連結され、前記従動軸３８には第一ベルト３１により前記第一ベルトプーリ２９と連結された遠心輪３６が設置され、前記押し出し溝３４の中にはＵ型ブロック３５及び前記Ｕ型ブロック３５を復帰させることができる押し出しばね３３が設置され、前記Ｕ型ブロック３５の上端には上端が前記遠心輪３６に制御されて運動する従動板３７が設置され、前記伝動チャンバ１７の中には前記締めひも９の伸び出し量を固定できる制御機構４２が設置され、前記制御機構４２は前記伝動チャンバ１７の上端壁の中に位置している昇降溝５０を含み、前記伝動チャンバ１７の上端壁の中にはまた内壁が前記昇降溝５０に連通している環状溝４４が設置され、前記昇降溝５０の中には円柱ブロック４２が設置され、前記円柱ブロック４２の中には前記円柱ブロック４２を貫通しているスライドチャンバ４１が設置され、前記スライドチャンバ４１の中にはスライド板４０及び前記スライド板４０を復帰させることができるスライドばね４９が設置され、前記円柱ブロック４２には外端が前記環状溝４４の中に位置している回転ギヤ４３が設置され、前記環状溝４４の右端壁の中には前記環状溝４４に連通している移動チャンバ４６が設置され、前記移動チャンバ４６の中には前記回転ギヤと噛み合っており、且つ前記回転ギヤ４３を回転させることができるラックブロック４７が設置され、前記ラックブロック４７の前端には前記ラックブロック４７を復帰させることができる伸縮ばね４８が設置され、前記ラックブロック４７の後端には後端が前記移動チャンバ４６の後端壁と前記昇降溝５０の上端壁とを貫通しており、且つ前記スライド板４０と連結されたロープ４５が固定され、前記円柱ブロック４２の下端には下端が前記伝動チャンバ１７の中に位置している四つの挟み板３２が設置され、本装置の作用は前記固定ブロック１１を引き動かすことにより前記締めひも９の伸び出し量を制御し、前記制御機構５２により前記締めひも９を固定し、これにより前記締めひも９を自由に固定して締めやすく、前記締めひも９を伸ばしすぎないことである。  
【００１３】
有益的には、前記巻き付き機構５３はまた転向軸１８を含み、前記転向軸１８の下端と右側の前記回転軸５の下端にはいずれも第二ベルトプーリ１６が設置され、二つの前記第二ベルトプーリ１６の間は第二ベルト２４により連結されており、且つ前記第二ベルト２４が二つの前記挟み板３２の間の空間を通過し、前記転向軸１８の上端には転向ギヤ１４が設置され、左側の前記回転軸５の下端には前記転向ギヤ１４と噛み合っている回転ギヤ１５が設置され、右側の固定ブロック１１の中には二つのばね溝２６が設置され、前記ばね溝２６の中にはばねブロック２７及び前記ばねブロック２７を復帰させることができる圧縮ばね２５が設置され、左側の前記固定ブロック１１の中には左方に開口した収納溝１０が設置され、前記収納溝１０の上下端壁の中には外部空間と前記収納溝１０とを連通している押し溝１３が設置され、前記押し溝１３の中には押し板７及び前記押し板７を復帰させることができる二つの押しばね１２が設置され、前記巻き付き機構５３の作用は前記固定ブロック１１を引き動かして前記締めひも９の伸び出し量を制御することである。
【００１４】
有益的には、前記制御機構５２はまた下方に開口した昇降チャンバ２３を含み、前記昇降チャンバ２３の中には昇降板２１が設置され、前記昇降板２１の上端には上端が前記伝動チャンバ１７を貫通しており、且つ前記スライド板４０と接触している昇降ロッド５１が設置され、前記昇降チャンバ２３の上端壁の中には下方に開口した環状チャンバ３０が設置され、前記環状チャンバ３０の前端壁には前記環状チャンバ３０と前記昇降チャンバ２３とを連通している二つの受け取り溝２２が設置され、前記受け取り溝２２の中には受け取りブロック１９が設置され、前記受け取りブロック１９の下端には下端が前記昇降板２１と連結している連結柱２０が設置され、前記制御機構５２の作用は前記締めひも９の伸び出し量を決めた後に前記締めひも９を固定し、前記締めひも９が縮むことを防止することである。
【００１５】
以下、出願人は付図１〜５及び上記の本出願の携帯しやすいスポーツ用水筒の具体的な構成を参照して本出願の携帯しやすいスポーツ用水筒の使用方法を詳しく紹介する：
【００１６】
締めひも９を使用する時、二つの固定ブロック１１を同時に引き動かし、これにより締めひも９を引き出し、右側の固定ブロック１１の右端が収納溝１０の中に入り、ばねブロック２７の一端が押し溝１３の中に入り、これにより二つの固定ブロック１１を互いに連結し合い、締めひも９が引き動かされる時、ローラー８と回転軸５とを連動させて回転させ、捻りばね４が捻り、回転軸５の回転により回転ギヤ１５と右側の第二ベルトプーリ１６とを回転させ、回転ギヤ１５の回転により転向ギヤ１４を回転させ、これにより左側の第二ベルトプーリ１６と転向軸１８とを回転させ、両側の第二ベルトプーリ１６の回転方向が同じであり、右側の回転軸５の回転により第一ベルトプーリ２９と、遠心輪３６と、従動軸３８とを回転させ、遠心輪３６の回転により従動板３７を後方へ運動させ、Ｕ型ブロック３５が外部まで押し出され、回転軸５が回転し終わった時、遠心輪３６が作動せず、Ｕ型ブロック３５は摩擦力と押し出しばね３３との作用のもとで緩やかに復帰する。
【００１７】
締めひも９の伸び量を決めた後、昇降板２１を上方へ上げ、これにより受け取りブロック１９が環状チャンバ３０に入り、同時に昇降ロッド５１がスライド板４０を連動させて上方へ運動させ、ロープ４５が緩やかであり、伸縮ばね４８がラックブロック４７を連動させて運動させ、これにより回転ギヤ４３を回転させ、これにより第二ベルト２４を挟んでいる挟み板３２を回転させ、これにより第二ベルト２４の一部を捻じらせ、これにより第二ベルト２４が伝動できなくなり、これにより捻りばね４又は外力により回転軸５を回転させることを防止し、締めひも９の伸び出し量を固定し、固定し終わった後、昇降板２１を回転させ、受け取りブロック１９を環状チャンバ３０の中で回転させ、制御装置５２が復帰することを防止する。
【００１８】
本発明の有益効果は：本装置は構成が簡単で、操作が便利で、締めひもの伸び出し量を自由に調節して固定でき、肩に掛けても腰に掛けても水筒をちゃんと固定でき、人の好みによって自由に固定方式を決められ、且つ余分の締めひもが外部空間に残さないので運動に影響を与えない。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020182768.tif 000003
【図２】
2020182768.tif 000004
【図３】
2020182768.tif 000005
【図４】
2020182768.tif 000006
【図５】
2020182768.tif 000007